(57)【要約】【課題】双方の移動通信端末に対して、把握された位置関係に応じた報知を行うことができる通信制御システムを提供する。【解決手段】通信制御システム１０は、在圏セル特定番号を格納する在圏情報格納部１１と、隣接セル特定番号を格納する隣接情報格納部１２と、発信要求信号を発信端末２０Ａから受信する受信部１８と、発信端末２０Ａ及び着信端末２０Ｂそれぞれの在圏セル特定番号及び隣接セル特定番号を取得する取得部１５と、在圏セル特定番号及び隣接セル特定番号で示される発信側セル群Ａ及び着信側セル群Ｂが少なくとも一部で一致しているか否かを判定する判定部１６と、判定部１６によって発信側セル群Ａ及び着信側セル群Ｂが少なくとも一部で一致していると判定された場合、発信端末２０Ａへの呼出音及び着信端末２０Ｂでの着信音を変更させる音変更部１７と、を備えている。【選択図】図１
2011077693.tif 000002
【特許請求の範囲】
【請求項１】
複数の移動通信端末のうち発信側となる発信端末と着信側となる着信端末との間の通信を制御する通信制御システムであって、
前記複数の移動通信端末それぞれの在圏セルを示す在圏セル情報を前記複数の移動通信端末それぞれを識別する識別番号毎に格納する在圏情報格納手段と、
前記複数の移動通信端末それぞれの在圏セルの近傍に位置する近傍セルを示す近傍セル情報を前記識別番号毎に格納する近傍情報格納手段と、
前記着信端末を特定する端末特定情報を含む発信要求信号を前記発信端末から受信する受信手段と、
前記受信手段によって前記発信要求信号が受信された場合、前記発信端末及び前記端末特定情報で特定される前記着信端末それぞれの前記在圏セル情報及び前記近傍セル情報を前記在圏情報格納手段及び前記近傍情報格納手段から取得する取得手段と、
前記取得手段によって取得された前記発信端末の前記在圏セル情報及び前記近傍セル情報で示される発信側セル群及び前記取得手段によって取得された前記着信端末の前記在圏セル情報及び前記近傍セル情報で示される着信側セル群が少なくとも一部で一致しているか否かを判定する判定手段と、
前記判定手段によって前記発信側セル群及び前記着信側セル群が少なくとも一部で一致していると判定された場合、前記発信端末への呼出音及び前記着信端末での着信音の少なくとも一方の音を変更させる音変更手段と、
を備える通信制御システム。
【請求項２】
前記判定手段は、前記発信側セル群及び前記着信側セル群が少なくとも一部で一致すると判定する際、前記発信側セル群及び前記着信側セル群の両方の在圏セルが一致する第１の判定と、前記発信側セル群及び前記着信側セル群の一方の在圏セルと他方の近傍セルとが一致する第２の判定と、前記発信側セル群及び前記着信側セル群の両方の近傍セルのみが一致する第３の判定とに分けて判定することを特徴とする請求項１に記載の通信制御システム。
【請求項３】
前記音変更手段は、前記判定手段による判定に応じて前記音の音量レベルを変更させることを特徴とする請求項１又は２に記載の通信制御システム。
【請求項４】
前記音変更手段は、前記判定手段による判定に応じて前記音の種類を変更させることを特徴とする請求項１〜３のいずれか一項に記載の通信制御システム。
【請求項５】
前記在圏情報格納手段に格納される前記在圏セル情報と前記近傍情報格納手段に格納される前記近傍セル情報とを前記複数の移動通信端末それぞれの移動に応じて更新する更新手段を更に備えることを特徴とする請求項１〜４のいずれか一項に記載の通信制御システム。
【請求項６】
複数の移動通信端末それぞれの在圏セルを示す在圏セル情報を前記複数の移動通信端末それぞれを識別する識別番号毎に格納する在圏情報格納手段と、前記複数の移動通信端末それぞれの在圏セルの近傍に位置する近傍セルを示す近傍セル情報を前記識別番号毎に格納する近傍情報格納手段とを備えた通信制御システムによって、前記複数の移動通信端末のうち発信側となる発信端末と着信側となる着信端末との間の通信を制御する通信制御方法であって、
前記着信端末を特定する端末特定情報を含む発信要求信号を前記発信端末から受信する受信ステップと、
前記受信ステップで前記発信要求信号が受信された場合、前記発信端末及び前記端末特定情報で特定される前記着信端末それぞれの前記在圏セル情報及び前記近傍セル情報を前記在圏情報格納手段及び前記近傍情報格納手段から取得する取得ステップと、
前記取得ステップで取得された前記発信端末の前記在圏セル情報及び前記近傍セル情報で示される発信側セル群及び前記取得ステップで取得された前記着信端末の前記在圏セル情報及び前記近傍セル情報で示される着信側セル群が少なくとも一部で一致しているか否かを判定する判定ステップと、
前記判定ステップによって前記発信側セル群及び前記着信側セル群が少なくとも一部で一致していると判定された場合、前記発信端末への呼出音及び前記着信端末での着信音の少なくとも一方の音を変更させる音変更ステップと、
を含む通信制御方法。
【発明の詳細な説明】
【技術分野】
【０００１】
本発明は、通信制御システム及び通信制御方法に関する。
【背景技術】
【０００２】
携帯電話やＰＨＳなどの移動通信端末は、固定電話と異なり、特定の場所に束縛されることなく自由に移動しながら他の通信端末との間で通信を行うことができるといった特徴がある。その反面、通信の相手側が移動通信端末の場合、相手側の移動通信端末も移動可能なため、互いの相対的な位置関係を感覚的に把握して通話を行うことは難しかった。そのため、遠方から来客がある場合や不慣れな場所で待ち合わせをする場合などにおいて、待ち合わせ場所といった目的地に着く前に移動通信端末を使って互いに連絡を取った際、どの程度、互いに近づいたのかといったような相対的な位置関係を把握できないため、移動通信端末の使用者に不安感を与えてしまう場合があった。そこで、移動通信端末で通話を行う際、自分がどの程度、相手に近づいているのかを例えば音などで報知することで感覚的に把握させることができる技術が望まれていた。
【０００３】
このような要望に応えるため、例えば、特許文献１に記載された発明では、一方の移動通信端末（待ち側）が位置する無線ゾーンの基地局の識別番号（ＣＳ−ＩＤ）を所定のタイミングで他方の移動通信端末（移動側）に送信し、他方の移動通信端末では、送信されたＣＳ―ＩＤと、自機が位置する基地局のＣＳ−ＩＤとを比較し、両者が一致したら、同一の無線ゾーンに位置していると判定して、双方の移動通信端末に対して、互いに近接したことを報知するようにしていた。また、特許文献２に記載された発明では、双方の移動通信端末がＧＰＳ情報取得部や近距離通信部を備え、近距離通信部で他方の移動通信端末のＧＰＳ情報を受信するとＧＰＳ情報に基づく位置を報知するようにしていた。
【先行技術文献】
【特許文献】
【０００４】
【特許文献１】特開平１１−０４１６６３号公報
【特許文献２】特開２００８−２０３４７９号公報
【発明の概要】
【発明が解決しようとする課題】
【０００５】
しかしながら、特許文献１に記載された報知方法は、待ち側の移動通信端末が位置する無線ゾーンに移動側の移動通信端末が入ったか否かを判定することで近接領域（例えば半径が２００〜３００ｍの領域）での双方の位置関係を把握し、報知を行うものであった。また、特許文献２に記載された報知方法は、近距離通信部を用いて相互のＧＰＳ情報をやり取りすることで近接領域（例えば無線通信が可能な半径数１０ｍの領域）での双方の位置関係を把握し、報知を行うものであった。このため、特許文献１，２に記載された報知方法では、双方が出会う直前の最終段階での報知を行うことはできるものの、その前段階である中距離領域（例えば半径が数１００ｍ〜１０ｋｍ）に双方の移動通信端末が位置する段階で双方の相対的な位置関係を把握して報知を行い、比較的、早い段階から移動通信端末の使用者に安心感を与えるようなものではなかった。
【０００６】
そこで、本発明は、双方の移動通信端末間の相対的な位置関係を早い段階で把握し、双方の移動通信端末のうち少なくとも一方に対して、把握された位置関係に応じた報知を行うことができる通信制御システム及び当該通信制御方法を提供することを目的とする。
【課題を解決するための手段】
【０００７】
上記の課題を解決するために、本発明に係る通信制御システムは、複数の移動通信端末のうち発信側となる発信端末と着信側となる着信端末との間の通信を制御する通信制御システムであって、複数の移動通信端末それぞれの在圏セルを示す在圏セル情報を複数の移動通信端末それぞれを識別する識別番号毎に格納する在圏情報格納手段と、複数の移動通信端末それぞれの在圏セルの近傍に位置する近傍セルを示す近傍セル情報を識別番号毎に格納する近傍情報格納手段と、着信端末を特定する端末特定情報を含む発信要求信号を発信端末から受信する受信手段と、受信手段によって発信要求信号が受信された場合、発信端末及び端末特定情報で特定される着信端末それぞれの在圏セル情報及び近傍セル情報を在圏情報格納手段及び近傍情報格納手段から取得する取得手段と、取得手段によって取得された発信端末の在圏セル情報及び近傍セル情報で示される発信側セル群及び取得手段によって取得された着信端末の在圏セル情報及び近傍セル情報で示される着信側セル群が少なくとも一部で一致しているか否かを判定する判定手段と、判定手段によって発信側セル群及び着信側セル群が少なくとも一部で一致していると判定された場合、発信端末への呼出音及び着信端末での着信音の少なくとも一方の音を変更させる音変更手段と、を備えている。
【０００８】
上記の課題を解決するために、本発明に係る通信制御方法は、複数の移動通信端末それぞれの在圏セルを示す在圏セル情報を複数の移動通信端末それぞれを識別する識別番号毎に格納する在圏情報格納手段と、複数の移動通信端末それぞれの在圏セルの近傍に位置する近傍セルを示す近傍セル情報を識別番号毎に格納する近傍情報格納手段とを備えた通信制御システムによって、複数の移動通信端末のうち発信側となる発信端末と着信側となる着信端末との間の通信を制御する通信制御方法であって、着信端末を特定する端末特定情報を含む発信要求信号を発信端末から受信する受信ステップと、受信ステップで発信要求信号が受信された場合、発信端末及び端末特定情報で特定される着信端末それぞれの在圏セル情報及び近傍セル情報を在圏情報格納手段及び近傍情報格納手段から取得する取得ステップと、取得ステップで取得された発信端末の在圏セル情報及び近傍セル情報で示される発信側セル群及び取得ステップで取得された着信端末の在圏セル情報及び近傍セル情報で示される着信側セル群が少なくとも一部で一致しているか否かを判定する判定ステップと、判定ステップによって発信側セル群及び着信側セル群が少なくとも一部で一致していると判定された場合、発信端末への呼出音及び着信端末での着信音の少なくとも一方の音を変更させる音変更ステップと、を含んでいる。
【０００９】
この通信制御システムまたは通信制御方法によれば、各移動通信端末の在圏セルに加えて、その在圏セルの近傍に位置する近傍セルの情報を格納し、格納された在圏セル情報及び近傍セル情報に基づいて発信端末及び着信端末間の相対的な位置関係を判定し、その判定結果に応じた報知を行うようにしている。このため、双方の移動通信端末間の相対的な位置関係を広い範囲で把握することができ、例えば互いの距離が数１００ｍ〜１０ｋｍといったように、比較的、早い段階で双方の位置関係を把握し、双方の移動通信端末のうち少なくとも一方に対して、把握された位置関係に応じた報知を行うことができる。その結果、上述した通信制御システムや通信制御方法によれば、比較的、早い段階で移動通信端末の使用者に安心感を与えることが可能となる。しかも、通信制御システムで集中管理される在圏情報等を用いて判定しているため、各移動通信端末において、例えばＧＰＳ測位や複雑な判定処理を行う必要がなくなり、各移動通信端末でのバッテリー消耗を抑止することができる。
【００１０】
また、判定手段は、発信側セル群及び着信側セル群が少なくとも一部で一致すると判定する際、発信側セル群及び着信側セル群の両方の在圏セルが一致する第１の判定と、発信側セル群及び着信側セル群の一方の在圏セルと他方の近傍セルとが一致する第２の判定と、発信側セル群及び着信側セル群の両方の近傍セルのみが一致する第３の判定とに分けて判定することが好ましい。この場合、双方の移動通信端末が徐々に近づいていることを段階的に判定できる。
【００１１】
また、音変更手段は、判定手段による判定に応じて音の音量レベルを変更させてもよいし、判定手段による判定に応じて音の種類を変更させてもよい。この場合、音変更手段による音の内容が判定結果に応じて異なることから、双方が徐々に近づいているのを感覚的に把握することができる。
【００１２】
また、在圏情報格納手段に格納される在圏セル情報と近傍情報格納手段に格納される近傍セル情報とを複数の移動通信端末それぞれの移動に応じて更新する更新手段を更に備えることが好ましい。この場合、移動通信端末が移動しても、各情報が更新されるため、仮に待ち側の移動通信端末が何らかの理由で目的地から移動してしまった場合、相手側の移動通信端末は、報知内容によって、その事実を感覚的に把握することができる。
【発明の効果】
【００１３】
本発明によれば、双方の移動通信端末間の相対的な位置関係を早い段階で把握し、双方の移動通信端末のうち少なくとも一方に対して、把握された位置関係に応じた報知を行うことができる。
【図面の簡単な説明】
【００１４】
【図１】本実施形態に係る通信制御システムの構成概要図である。
【図２】通信制御システムを構成する通信交換装置やＨＬＲのハードウェア構成を示す図である。
【図３】在圏情報格納部及び隣接情報格納部に格納されるデータの一例を示す図である。
【図４】通信制御システムの動作を示すシーケンス図である。
【発明を実施するための形態】
【００１５】
以下、図面を参照して、本発明に係る好適な実施形態について詳細に説明する。なお、図面の説明において、可能な場合には、同一要素には同一符号を付し、重複する説明を省略する。
【００１６】
まず、本実施形態に係るオペレータネットワーク１（以下「オペレータＮＷ１」と記す）について、図１を参照しながら説明する。オペレータＮＷ１は、通信制御システム１０及びコアＮＷノード群（不図示）を含んで構成され、複数の移動通信端末２０と接続可能となっている。移動通信端末２０は、例えば、携帯電話やＰＨＳであり、オペレータＮＷ１を介して、他の移動通信端末２０に接続される。互いに接続された移動通信端末２０は、通信制御システム１０の交換制御によって、互いに音声通話を行うことができるようになっている。図１では、説明の便宜上、複数の移動通信端末２０のうち発信側となる移動通信端末２０Ａ（以下「発信端末２０Ａ」と記す）と着信側となる移動通信端末２０Ｂ（以下「着信端末２０Ｂ」と記す）のみを示しているが、図示省略された複数の移動通信端末２０がオペレータＮＷ１を介して互いに接続可能となっている。
【００１７】
続いて、通信制御システム１０について、説明する。通信制御システム１０は、発信端末２０Ａと着信端末２０Ｂとの間の通信を制御するシステムであり、移動通信端末２０間の通信交換を行う通信交換装置や移動通信端末２０の各在圏情報等を格納するＨＬＲ（Home Location Register）等から構成される。通信制御システム１０は、図１に示されるように、機能的には、在圏情報格納部１１（在圏情報格納手段）、隣接情報格納部１２（近傍情報格納手段）、更新部１３（更新手段）、交換制御部１４、取得部１５（取得手段）、判定部１６（判定手段）、及び音変更部１７（音変更手段）を備えている。
【００１８】
通信制御システム１０を構成する通信交換装置やＨＬＲは、図２に示されるように、物理的には、ＣＰＵ１０ａ、ＲＯＭ１０ｂ及びＲＡＭ１０ｃ等の主記憶装置、移動通信端末２０等との間でデータの送受信を行うためのネットワークカード等の通信モジュール１０ｄ、及び、ハードディスク等の補助記憶装置１０ｅを含む通常のコンピュータシステムとしてそれぞれ構成される。通信制御システム１０の各機能は、ＣＰＵ１０ａ、ＲＯＭ１０ｂ、ＲＡＭ１０ｃ等のハードウェア上に所定のコンピュータソフトウェアを読み込ませることにより、ＣＰＵ１０ａの制御の元で通信モジュール１０ｄを動作させると共に、主記憶装置１０ｂ，１０ｃや補助記憶装置１０ｅにおけるデータの読み出し及び書き込みを行うことで実現される。
【００１９】
在圏情報格納部１１は、複数の移動通信端末２０それぞれの在圏セルを示す在圏セル特定番号（在圏セル情報）を複数の移動通信端末２０それぞれを識別する端末識別番号（ＩＭＥＩＳＶ等）毎に格納する部分である。このような在圏セルを示すデータとしては、例えば、図３（ａ）に示されるようなデータが在圏情報格納部１１に格納されている。
【００２０】
隣接情報格納部１２は、複数の移動通信端末２０それぞれの在圏セルに隣接する隣接セル（近傍セル）を示す隣接セル特定番号（近傍セル情報）を端末識別番号（ＩＭＥＩＳＶ等）毎に格納する部分である。このような隣接セルを示すデータとしては、例えば、図３（ｂ）に示されるようなデータが隣接情報格納部１２に格納されている。隣接情報格納部１２に格納されるデータにおける隣接セルは、一つの在圏セルを覆うように隣接配置しているものであることから、通常、一つの在圏セルに対して複数の隣接セルが対応するようになっている。
【００２１】
更新部１３は、在圏情報格納部１１に格納される在圏セル特定番号と隣接情報格納部１２に格納される隣接セル特定番号とを複数の移動通信端末２０それぞれの移動に応じて更新する部分である。更新部１３は、移動通信端末２０の位置登録が新たにされると、在圏情報格納部１１に格納されている在圏セル特定番号のうち、位置登録がされた移動通信端末２０の在圏セル特定番号を更新する。更新部１３は、在圏セル特定番号の更新に続いて、在圏セルが更新された移動通信端末２０の隣接セル特定番号を、更新された在圏セル特定番号に応じた隣接セル特定番号へと更新する。なお、更新部１３は、隣接セル特定番号を更新する際、あらかじめ記憶しておいた各セルの隣接関係の情報（隣接マップ）を参照して、更新処理を行う。
【００２２】
交換制御部１４は、着信端末２０Ｂを特定する端末特定情報を含む発信要求信号を発信端末２０Ａから受信する受信部１８を有し、発信端末２０Ａ及び着信端末２０Ｂ間の通信（回線交換）を制御する部分である。交換制御部１４は、受信部１８で発信要求信号を発信端末２０Ａから受信すると、着信要求信号を生成し、生成した着信要求信号を着信端末２０Ｂに送信する。交換制御部１４は、着信要求信号の送信にあわせて、着信端末２０Ｂを呼び出し中であることを知らせるリングバック（呼出音の鳴動）を発信端末２０Ａに対して行う。交換制御部１４は、着信要求信号の送信後、着信端末２０Ｂから着信要求に応じることを示す着信応答信号を受信すると、受信した着信応答信号を発信端末２０Ａに送信する。これにより、交換制御部１４は、発信端末２０Ａ及び着信端末２０Ｂ間の回線交換作業を終了させ、両端末間の通話が開始される。
【００２３】
取得部１５は、発信端末２０Ａ及び着信端末２０Ｂそれぞれの在圏セル特定番号及び隣接セル特定番号を取得する部分である。取得部１５は、受信部１８（交換制御部１４）によって発信要求信号が受信されると、双方の端末２０Ａ，２０Ｂの相対的な位置関係の判定を開始する判定開始信号を交換制御部１４から受信する。取得部１５は、判定開始信号を受信すると、発信端末２０Ａ及び端末特定情報で特定される着信端末２０Ｂそれぞれの在圏セル特定番号及び隣接セル特定番号を在圏情報格納部１１及び隣接情報格納部１２から取得する。取得部１５は、取得した在圏セル特定番号及び隣接セル特定番号を、両端末２０Ａ，２０Ｂの端末識別番号それぞれに対応させた状態で判定部１６に出力する。
【００２４】
判定部１６は、取得部１５によって取得された発信端末２０Ａの在圏セル特定番号及び隣接セル特定番号で示される発信側セル群Ａ及び取得部１５によって取得された着信端末２０Ｂの在圏セル特定番号及び隣接セル特定番号で示される着信側セル群Ｂが少なくとも一部で一致しているか否かを判定する部分である。本実施形態では、判定部１６は、発信側セル群Ａ及び着信側セル群Ｂが少なくとも一部で一致すると判定する際、発信側セル群Ａ及び着信側セル群Ｂの両方の在圏セルが一致する第１の判定と、発信側セル群Ａ及び着信側セル群Ｂの一方の在圏セルと他方の隣接セルとが一致する第２の判定と、発信側セル群Ａ及び着信側セル群Ｂの両方の隣接セルのみが一致する第３の判定とに分けて判定する。
【００２５】
第１の判定では、両端末２０Ａ，２０Ｂが同一のセル内に位置していることが判定され、両端末２０Ａ，２０Ｂ間の距離は、例えば、０〜３００ｍといったような極近距離と判定される。第２の判定では、両端末２０Ａ，２０Ｂが隣接する別のセル内にそれぞれ位置していることが判定され、両端末２０Ａ，２０Ｂ間の距離は、例えば、３００ｍ〜６００ｍといった近距離と判定される。第３の判定では、両端末２０Ａ，２０Ｂが一つのセルを挟んだ互いに隣接しない別のセル内にそれぞれ位置していることが判定され、両端末２０Ａ，２０Ｂ間の距離は、例えば、６００ｍ〜９００ｍといった中距離と判定される。つまり、判定部１６は、両端末２０Ａ，２０Ｂ間の距離が近いほうから、段階的に、第１の判定、第２の判定、第３の判定といった順序で両者の相対的な位置関係を判定する。判定部１６は、このように判定された判定結果を音変更部１７に出力する。
【００２６】
音変更部１７は、判定部１６による判定結果に応じて、発信端末２０Ａへの呼出音及び着信端末での着信音を変更させる部分である。音変更部１７は、判定部１６から判定結果が入力され、判定部１６によって第１〜第３の判定のうち何れかの判定がされた場合には、呼出音として、通常とは異なる呼出音となる第１のリングバックトーンの音量情報を生成する。また、音変更部１７は、判定部１６によって第１〜第３の判定のうち何れの判定もされなかった場合（発信側セル及び着信側セルがまったく一致しなかった場合）には、通常の呼出音である第２のリングバックトーンの音量情報を生成する。音変更部１７は、生成した各音量情報を交換制御部１４に出力する。音量情報が入力された交換制御部１４は、入力された音量情報をリングバックを行わせるための情報に含めて、発信端末２０Ａにリングバックを行う。
【００２７】
第１のリングバックトーンの音量情報では、第１〜第３の判定の３種類の判定に応じて音量が異なるようになっており、第１の判定に対応する音の音量が一番大きく、第２の判定に対応する音、第３の判定に対応する音の順に音量が小さくなるようになっている。また、第１のリングバックトーンの音量情報における各音量は、第２のリングバックトーンの音量情報における音量よりも大きくなっている。このような呼出音の音量の大小により、発信端末２０Ａの使用者は、例えば、着信端末２０Ｂの使用者に近づいている（又は遠ざかっている）ことを感覚的に知覚できる。
【００２８】
また、音変更部１７は、判定部１６から判定結果が入力され、判定部１６によって第１〜第３の判定のうち何れかの判定がされた場合には、着信端末２０Ｂで鳴動させる着信音を通常とは異なる着信音とさせるための特殊フラグを交換制御部１４で生成される着信要求信号に設定する。本実施形態では、この特殊フラグによって着信端末２０Ｂでの着信音が、第１〜第３の判定の３種類の判定に応じて音量が異なるようにされ、第１の判定に対応する音の音量が一番大きく、第２の判定に対応する音、第３の判定に対応する音の順に音量が小さくなるようにする。また、音変更部１７は、判定部１６によって第１〜第３の判定のうち何れの判定もされなかった場合には、着信端末２０Ｂで通常の着信音が鳴動するように特殊フラグを設定しない。特殊フラグを設定した場合の着信音の各音量は、特殊フラグを設定しなかった場合の着信音よりも大きくなっている。このような着信音の音量の大小により、着信端末２０Ｂの使用者は、例えば、発信端末２０Ａの使用者に近づいている（又は遠ざかっている）ことを感覚的に知覚できる。
【００２９】
次に、通信制御システム１０における通信制御方法について、図４を参照して説明する。
【００３０】
発信端末２０Ａ及び着信端末２０Ｂ間での通話を開始するにあたり、発信端末２０Ａは、発信要求信号を生成する（ステップＳ１）。生成される発信要求信号には、発信端末２０Ａを特定する端末識別番号及び着信端末２０Ｂを特定する端末識別番号といった情報が含まれる。発信端末２０Ａは、このような発信要求信号を通信制御システム１０へ送信する（ステップＳ２）。
【００３１】
ステップＳ２で発信要求信号の送信が行なわれると、通信制御システム１０の受信部１８は、送信された発信要求信号を受信する（受信ステップ、ステップＳ３）。発信要求信号を受信すると、通信制御システム１０の交換制御部１４は、発信要求信号に含まれる発信端末２０Ａや着信端末２０Ｂを特定する端末識別番号といった情報を発信要求信号から抽出する。交換制御部１４は、各端末識別番号を抽出すると、発信要求信号に応じた着信要求信号を生成すると共に、抽出された端末識別番号といった情報を含む判定開始信号を取得部１５に出力する。
【００３２】
判定開始信号が入力されると、取得部１５は、両端末２０Ａ，２０Ｂの在圏セル特定番号や隣接セル特定番号を在圏情報格納部１１及び隣接情報格納部１２から取得する（取得ステップ、ステップＳ４）。取得部１５は、取得した各セル特定番号を判定部１６に出力する。判定部１６は、各セル特定番号が入力されると、発信側セル群Ａ及び着信側セル群Ｂが少なくとも一部で一致するか否かを判定する（判定ステップ、ステップＳ５）。判定部１６で一致すると判定する場合、上述した第１〜第３の判定のように３段階に分けて、一致度合を判定する。
【００３３】
ステップＳ５において、発信側セル群Ａ及び着信側セル群Ｂが少なくとも一部で一致すると判定されると、ステップＳ６に進み、音変更部１７は、一致度合に応じて、第１のリングバックトーンの音量情報を３段階で生成し（音変更ステップ）、発信側セル群Ａ及び着信側セル群Ｂがまったく一致しないと判定されると、ステップＳ７に進み、通常の呼出音である第２のリングバックトーンの音量情報を生成する。生成された各音量情報は、交換制御部１４に出力される。また、ステップＳ６で第１のリングバックトーンの音量情報が生成されると、着信要求信号に用いられるページング情報に着信音の音量を３段階のうちの１つに変更させる特殊フラグを設定する（音変更ステップ、ステップＳ８）。
【００３４】
続いて、交換制御部１４は、着信要求信号を着信端末２０Ｂに送信する（ステップＳ９）。着信端末２０Ｂは、送信された着信要求信号を受信し（ステップＳ１０）、着信要求信号に特殊フラグが設定されているか否かを判定する。特殊フラグが設定されていないと判定した場合には、着信端末２０Ｂは、通常の着信音を鳴動させ、特殊フラグが設定されていると判定した場合には、着信端末２０Ｂは、判定部１６での判定による一致度合に応じた３段階のうちのいずれか１つの応じた着信音を鳴動させる（ステップＳ１１）。
【００３５】
続いて、ステップＳ１１で着信音の鳴動に応じて、着信端末２０Ｂの使用者が着信に応答する指示を着信端末２０Ｂに入力すると、着信端末２０Ｂは、着信応答信号を生成し（ステップＳ１２）、通信制御システム１０へ送信する（ステップＳ１３）。
【００３６】
また、交換制御部１４は、ステップＳ５において、発信側セル群Ａ及び着信側セル群Ｂが少なくとも一部で一致すると判定された場合には、発信端末２０Ａに対して、第１のリングバックトーンに応じたリングバックを行い、発信側セル群Ａ及び着信側セル群Ｂがまったく一致しないと判定された場合には、発信端末２０Ａに対して、第２のリングバックトーンに応じたリングバックを行う（ステップＳ１４）。
【００３７】
発信端末２０Ａは、第１のリングバックトーンに応じたリングバックが行われた場合には、判定部１６での判定による一致度合に応じた３段階のうちのいずれか１つに応じた呼出音をリングバックトーンとして鳴動させ、第２のリングバックトーンに応じたリングバックが行われた場合には、通常の呼出音をリングバックトーンとして鳴動させる（ステップＳ１５）。その後、通信制御システム１０の交換制御部１４から発信端末２０Ａに着信応答信号が送信されると（ステップＳ１６）、発信端末２０Ａは、着信応答信号を受信する(ステップＳ１７)。発信端末２０Ａが着信応答信号を受信することにより、発信端末２０Ａ及び着信端末２０Ｂ間の回線交換が完了し、両端末２０Ａ，２０Ｂ間の通話が開始される（ステップＳ１８）。
【００３８】
本実施形態によれば、各移動通信端末２０Ａ，２０Ｂの在圏セルに加えて、その在圏セルに隣接する隣接セルの情報を格納し、格納された在圏セル特定番号及び隣接セル特定番号に基づいて発信端末２０Ａ及び着信端末２０Ｂ間の相対的な位置関係を判定し、その判定結果に応じた報知を行うようにしている。このため、双方の移動通信端末２０Ａ，２０Ｂ間の相対的な位置関係を広い範囲で把握することができ、例えば互いの距離が０ｍ〜９００ｍといったように、比較的、早い段階で双方の位置関係を把握し、双方の移動通信端末のうち少なくとも一方に対して、把握された位置関係に応じた報知を行うことができる。その結果、上述した通信制御システムや通信制御方法によれば、比較的、早い段階で移動通信端末２０Ａ，２０Ｂの使用者に安心感を与えることが可能となる。しかも、通信制御システム１０で集中管理される在圏情報等を用いて判定しているため、各移動通信端末２０Ａ，２０Ｂにおいて、例えばＧＰＳ測位や複雑な判定処理を行う必要がなくなり、各移動通信端末でのバッテリー消耗を抑止することができる。
【００３９】
また、判定部１６は、発信側セル群Ａ及び着信側セル群Ｂが少なくとも一部で一致すると判定する際、発信側セル群Ａ及び着信側セル群Ｂの両方の在圏セルが一致する第１の判定と、発信側セル群Ａ及び着信側セル群Ｂの一方の在圏セルと他方の隣接セルとが一致する第２の判定と、発信側セル群Ａ及び着信側セル群Ｂの両方の隣接セルのみが一致する第３の判定とに分けて判定している。そして、音変更部１７は、判定部１６による上記のような段階的な判定に応じて、呼出音及び着信音の音量レベルを変更させている。このため、双方の移動通信端末２０Ａ，２０Ｂが徐々に近づいていることを、双方の距離が６００ｍ〜９００ｍといった中距離、３００ｍ〜６００ｍといった近距離、０ｍ〜３００ｍといった極近距離といったように段階的に判定でき、双方の移動通信端末２０Ａ，２０Ｂの使用者に対して、この判定結果に応じて、双方が徐々に近づいていることを感覚的に音で把握させることができる。その結果、移動通信端末２０Ａ，２０Ｂの使用者に安心感を与えることが可能となる。
【００４０】
また、在圏情報格納部１１に格納される在圏セル特定番号と隣接情報格納部１２に格納される隣接セル特定番号とを複数の移動通信端末２０それぞれの移動に応じて更新する更新部１３を更に備えている。このため、移動通信端末２０が移動しても、各特定番号が更新されるため、仮に待ち側の移動通信端末２０が何らかの理由で目的地から移動してしまった場合、相手側の移動通信端末２０は、報知内容によって、その事実を感覚的に把握することができる。
【００４１】
以上、本発明をその実施形態に基づき具体的に説明したが、本発明は、上記実施形態に限定されるものではない。例えば、上記実施形態では、呼出音及び着信音の両方の音を判定部１６での判定に応じて変更させていたが、呼出音及び着信音の少なくとも一方の音を判定部１６での判定に応じて変更させるようにしてもよい。また、上記実施形態では、呼出音や着信音の音量を変更させることで音の内容を変えてきたが、呼出音や着信音の種類を変更させることで音の内容を変えるようにしてもよい。
【００４２】
また、上記実施形態では、在圏セルとそれに隣接する隣接セルからそれぞれがなる発信側セル群Ａと着信側セル群Ｂとの一致を判定部１６で判定するようにしていたが、隣接するセルに更に隣接するセル（在圏セルの隣の隣のセル）も含む近傍セルと在圏セルとからなる発信側セル群Ａと着信側セル群Ｂとの一致を判定部１６で判定するようにしてもよいし、在圏セルから所定の距離範囲内のすべてのセルを近傍セルとして、この近傍セルと在圏セルとからなる発信側セル群Ａと着信側セル群Ｂとの一致を判定部１６で判定するようにしてもよい。この場合、発信端末２０Ａ及び着信端末２０Ｂ間の距離が更に遠方にあるうちから、双方の移動通信端末２０Ａ，２０Ｂ間の相対的な位置関係を把握でき、双方の移動通信端末２０Ａ，２０Ｂのうち少なくとも一方に対して、把握された位置関係に応じた報知を行うことができる。
【符号の説明】
【００４３】
１０…通信制御システム、１１…在圏情報格納部、１２…隣接情報格納部、１３…更新部、１４…交換制御部、１５…取得部、１６…判定部、１７…音変更部、１８…受信部、２０…移動通信端末、２０Ａ…発信端末、２０Ｂ…着信端末。
【図１】
2011077693.tif 000003
【図２】
2011077693.tif 000004
【図３】
2011077693.tif 000005
【図４】
2011077693.tif 000006